(57)【要約】【課題】特定の場所で認証した利用者が乗りかごに乗車できない不具合を解消して効率の良い運転サービスを行う。【解決手段】玄関１４で利用者を認証して呼び情報を自動登録するエレベータシステムにおいて、玄関１４で利用者が認証を行ったときに、運転制御部２１の呼び登録テーブル２１ａに呼び情報が登録済みであれば、先に認証した利用者が存在するものとみなす。この場合、例えば行き先呼びが登録されていれば、かご１３内に設置された待機案内表示灯３４を点灯して乗りかご１３内の利用者に他の利用者がエレベータを利用する旨を通知する。また、乗り場呼びが登録されていれば、乗り場１５に設置された待機案内表示灯５３を点灯して乗り場１５で待つ利用者に対して、他の利用者がエレベータを利用する旨を通知する。【選択図】      図１
2006256851.tif 000002
【特許請求の範囲】
【請求項１】
乗り場とは離れた特定の場所で、エレベータの利用者を認証する認証手段と、
この認証手段によって利用者が認証された場合に呼び情報が登録されているか否かを検出する呼び登録検出手段と、
この呼び登録検出手段によって呼び情報が登録済みであることが検出された場合に、他の利用者がエレベータを利用する旨を通知する通知手段と
を具備したことを特徴とするエレベータシステム。
【請求項２】
上記呼び登録検出手段によって行き先呼びが登録済みであることが検出された場合に、上記乗りかごを当該乗り場階で戸開状態で所定の時間待機させる待機手段を備え、
上記通知手段は、少なくとも上記待機手段によって上記乗りかごが待機している間、上記乗りかご内の利用者に対して他の利用者がエレベータを利用する旨を通知することを特徴とする請求項１記載のエレベータシステム。
【請求項３】
上記通知手段は、上記呼び登録検出手段によって乗り場呼びが登録済みであることが検出された場合に、少なくとも上記乗りかごが当該乗り場階に到着するまでの間、上記乗り場で待つ利用者に対して他の利用者がエレベータを利用する旨を通知することを特徴とする請求項１記載のエレベータシステム。
【請求項４】
上記乗りかごの出発によって呼び情報がキャンセルされた場合に、上記乗り場で再認証の手続きを案内する再認証案内手段をさらに具備したことを特徴とする請求項１記載のエレベータシステム。
【請求項５】
上記認証手段によって利用者を認証した回数を計数する計数手段と、
この計数手段によって得られる認証回数に基づいて、当該乗り場階で待機中にある上記乗りかごの走行を制御する運転制御手段と
を具備したことを特徴とする請求項１記載のエレベータシステム。
【請求項６】
上記認証手段によって最初に利用者を認証してからの経過時間を計時する計時手段と、
この計時手段によって得られる経過時間に基づいて、当該乗り場階で待機中にある上記乗りかごの走行を制御する運転制御手段と
を具備したことを特徴とする請求項１記載のエレベータシステム。
【請求項７】
上記乗りかごの待機終了後に入力された呼び情報を記憶する記憶手段と、
上記運転制御手段による上記乗りかごの走行後に上記記憶手段に記憶された呼び情報を再登録する再登録手段と
をさらに具備したことを特徴とする請求項５または６記載のエレベータシステム。
【発明の詳細な説明】
【技術分野】
【０００１】
この発明は、セキュリティ機能が搭載されたマンション等で使用されるエレベータシステムに関する。
【背景技術】
【０００２】
セキュリティ機能が搭載されたマンション等で使用されるエレベータシステムには、玄関のオートロックと連動して呼びを自動登録する機能を備えたものがある（例えば、特許文献１参照）。
【０００３】
この種のエレベータシステムでは、玄関に設置された認証装置で居住者の部屋の鍵を認証させると、その信号で玄関階（例えば１階）に呼び戻しをかけて、乗りかごを戸開待機させている。これにより、玄関から入って乗り場に来た利用者がすぐ乗車できるようにして待ち時間の短縮化を図っている。
【０００４】
また、乗りかご内での行き先呼び（かご呼びとも言う）についても、乗りかご内で行き先釦を自分で押下して登録する他に、玄関での鍵の認証と同時に自動登録したり、乗りかご内で再度鍵を認証させて自動登録する機能などもある。
【特許文献１】特開平１０−９５５７５号公報
【発明の開示】
【発明が解決しようとする課題】
【０００５】
ところが、上述したようなエレベータシステムでは、先に認証して乗りかご内に乗車した利用者が玄関で認証中にある他の利用者を知ることができない。このため、他の利用者が玄関で認証してから乗り場に到着するまでの間に、乗りかごが先の利用者を乗せて行ってしまうことがある。
【０００６】
このような問題は、乗り場で利用者が先に待っている場合も生じる。つまり、先に認証を済ませて乗り場で待っている利用者は、他の利用者が玄関で認証していることを知らないため、乗りかごの到着により、他の利用者を待たずに目的階に行ってしまうことがある。
【０００７】
このように、乗りかごが先の利用者を乗せて出発してしまうと、後から乗り場に来た利用者は乗車できず、不快な思いをする。また、そのときには呼び情報がキャンセルされているため、乗り場に別途設置されている認証装置を用いて再認証を行い、呼び情報を再登録するといった面倒な作業が必要となる。
【０００８】
本発明は上記のような点に鑑みなされたもので、特定の場所で認証した利用者が乗りかごに乗車できない不具合を解消して効率の良い運転サービスを行うことのできるエレベータシステムを提供することを目的とする。
【課題を解決するための手段】
【０００９】
本発明のエレベータシステムは、乗り場とは離れた特定の場所で、エレベータの利用者を認証する認証手段と、この認証手段によって利用者が認証された場合に呼び情報が登録されているか否かを検出する呼び登録検出手段と、この呼び登録検出手段によって呼び情報が登録済みであることが検出された場合に、他の利用者がエレベータを利用する旨を通知する通知手段とを具備して構成される。
【００１０】
このような構成によれば、乗り場とは離れた特定の場所で利用者が認証を行った場合に、呼び情報が登録されているか否かが検出される。呼び情報が登録済みであった場合には、先に認証した利用者が存在するものとみなされ、その利用者に対して、他の利用者がエレベータを利用する旨が通知される。これにより、利用者が乗り場に来るまでの間に乗りかごが行ってしまうことを回避することができ、効率の良い運転サービスを行うことが可能となる。
【発明の効果】
【００１１】
本発明によれば、乗り場とは離れた特定の場所で利用者が認証を行ったときに、既に呼び情報が登録済みであった場合に、他の利用者がエレベータを利用する旨が通知されるので、利用者が乗りかごに乗車できない不具合を解消して効率の良い運転サービスを行うことができる。
【発明を実施するための最良の形態】
【００１２】
以下、図面を参照して本発明の実施形態を説明する。
【００１３】
図１は本発明の一実施形態に係るエレベータシステムの構成を示す図である。ここでは、玄関階（例えば１階）をセキュリティ対象階とし、その玄関前で利用者を認証することで、玄関乗り場からのエレベータの利用を許可するシステムが示されている。
【００１４】
このエレベータシステムは、エレベータ制御装置１１、巻上機１２、乗りかご１３、玄関１４とその玄関階の乗り場１５に設置された各機器で構成されている。エレベータ制御装置１１は、エレベータ全体の制御を行う制御装置（コンピュータ）であり、運転制御部２１および信号入出力部２２を有する。
【００１５】
このエレベータ制御装置１１は、かご伝送ライン２３を介して乗りかご１３、乗り場伝送ライン２４を介して玄関階の乗り場１５、信号ライン２５を介して玄関１４の各機器と接続され、信号入出力部２２で各信号の送受信を行っている。
【００１６】
運転制御部２１は、各信号を処理して、呼び登録や乗りかご１３の運転制御を行う。この運転制御部２１は呼び登録テーブル２１ａを有し、そこに利用者の乗り場呼びや行き先呼びなどの呼び情報を登録し、その登録された呼び情報に応じた運転制御を行う。なお、呼び情報は、「乗り場呼び」と「行き先呼び（かご呼びとも呼ばれる）」がある。「乗り場呼び」には、乗り場の階床と行き先方向（上方向／下方向）の情報が含まれる。「行き先呼び」には、利用者が指定した行き先階の情報が含まれる。
【００１７】
また、この運転制御部２１には、認証回数カウント部２１ｂと認証経過時間カウント部２１ｃが設けられている。認証回数カウント部２１ｂは、利用者を認証した回数を計数する。認証経過時間カウント部２１ｃは、最初に利用者を認証してからの経過時間を計時する。
【００１８】
巻上機１２は、電動機であるモータ２６と、そのモータ２６に取り付けられたパルスジェネレータ（ＰＧ）２７を備え、エレベータ制御装置１１の指示に従ってモータ２６を回転駆動させる。このモータ２６の回転に伴い、メインロープ２８を介して乗りかご１３がカウンタウェイト（釣り合い重り）２９と共に図示せぬ昇降路内をつるべ式に昇降動作する。また、このときのモータ２６の回転数がパルスジェネレータ２７によって検出される。エレベータ制御装置１１では、このパルスジェネレータ２７から出力されるパルスデータを信号入出力部２２を介して受けることで、かご位置や速度の検出を行っている。
【００１９】
乗りかご１３には、戸開閉状態を確認するための戸閉確認スイッチ３１、行き先呼びを入力するための行き先呼び登録釦３２、エレベータ制御装置１１とのインタフェースである信号入出力部３３が設けられている。さらに、この乗りかご１３には、乗りかご１３内の利用者に対する通知手段として、待機案内表示灯３４、かごブザー３５、音声装置３６、スピーカ３７が設置され、それらの入出力の制御を信号入出力部３３で行っている。
【００２０】
玄関１４には、例えばマンションの各居室とのインタフェースとなる玄関インターホン制御盤４１と鍵認証装置４２が設置されている。これらの機器がセキュリティシステムのベースとなるオートロック連動オペレーションの核となっており、利用者が鍵認証装置４２に鍵４３を近づけて認証させることで玄関ドアが開き、また、そのときに呼び情報（乗り場呼び／行き先呼び）が自動登録される。
【００２１】
鍵認証装置４２は、例えば電磁誘導などにより非接触にて鍵４３の情報を読み込むことで、その読み込んだ情報から当該利用者が予めエレベータの利用を許可された者であるか否かを認証する。鍵４３は、予めエレベータの利用が許可された者つまり住居者に配布されている。この鍵４３に利用者の行き先階（住居階）を記録しておけば、玄関１４に入ったときに乗りかご１３に対して行き先呼びを自動登録することができる。
【００２２】
なお、上記鍵４３としては、例えば磁気カードやＩＣカードなどで構成されるが、特にその形態に限定されるものではない。
【００２３】
また、利用者は玄関インターホン制御盤４１を操作することで各居室と連絡をとることができる。
【００２４】
玄関階の乗り場１５には、乗り場呼びを入力するための乗り場呼び登録釦５１、エレベータ制御装置１１とのインタフェースである信号入出力部５２が設けられている。さらに、この乗り場１５には、待機案内表示灯５３、再認証案内表示灯５４、鍵認証装置５５が設置され、それらの入出力の制御を信号入出力部５２で行っている。
【００２５】
待機案内表示灯５３および再認証案内表示灯５４は、乗り場１５で乗りかご１３を待っている利用者に対する通知手段として用いられる。鍵認証装置５５は、玄関１４に設置された鍵認証装置４２と同様であり、利用者の持つ鍵４３の情報を非接触で読み込んで利用者を認証する。
【００２６】
次に、本システムの動作を説明する。
【００２７】
（ａ）乗りかご内の利用者に対する通知
図２に示すように、利用者が玄関１４に設置された鍵認証装置４２に鍵４３を近づけて認証手続きを行うと、玄関ドア４４が開いて玄関階の乗り場１５に入ることができる。その際、本システムでは、利用者の認証に伴い、呼び情報（少なくとも乗り場呼び）を自動登録して、乗りかご１３を玄関階に引き戻しておくことで、利用者の待ち時間を軽減するようにしている。
【００２８】
ところが、先に認証した利用者が乗りかご１３に乗車していると、玄関１４にいる利用者のことに気付かずに先に行ってしまうことがある。乗りかご１３が出発すると、呼び情報がキャンセルされてしまうため、後から来た利用者は、乗り場１５に設置された鍵認証装置５５で再度認証手続きを行って呼び登録をしなければならない。
【００２９】
そこで、利用者が玄関１４で鍵４３を認証した際に、呼び情報として既に行き先呼びが登録されている場合には乗りかご１３内に利用者がいるものとみなし、その乗りかご１３内に設置された待機案内表示灯３４を点灯して、図３に示すように乗車中の利用者に後から来る利用者がいることを通知する。
【００３０】
なお、以下の説明では、乗り場呼びについて玄関１４での利用者の認証と同時に自動登録されるものとするが、行き先呼びについては手動であっても自動であっても良い。手動の場合には、乗りかご１３内の行き先呼び登録釦３２の操作により登録される。
【００３１】
図４は本システムの動作を示すフローチャートであり、乗りかご内の利用者に対して通知を行う場合の処理動作を示すフローチャートである。
【００３２】
外から来た利用者がマンション等の玄関１４に設置された鍵認証装置４２に鍵４３を近づけると、認証信号が信号ライン２５を介してエレベータ制御装置１１の信号入出力部２２に入力される。その入力の有無を運転制御部２１で判断する（ステップＡ１１）。
【００３３】
ここで、認証信号の入力がある場合は（ステップＡ１１のＹｅｓ）、エレベータ制御装置１１（運転制御部２１）は、巻上機１２のパルスジェネレータ２７の信号からかご位置、乗りかご１３の戸閉確認スイッチ３１からドアの開閉状態を確認して、乗りかご１３が玄関階で戸開中であるか否かを判断する（ステップＡ１２）。
【００３４】
かご位置が玄関階でなかったり、戸閉中であった場合には（ステップＡ１２のＮｏ）、エレベータ制御装置１１は、呼び情報として玄関階の乗り場呼びを呼び登録テーブル２１ａに登録し、玄関階に乗りかご１３の呼び戻しをかける（ステップＡ１３）。このとき、乗りかご１３の待機案内表示灯３４は消灯しておく（ステップＡ１４）。
【００３５】
一方、乗りかご１３が玄関階で戸開している場合には（ステップＡ１２のＹｅｓ）、エレベータ制御装置１１は、呼び情報として行き先呼びが呼び登録テーブル２１ａに登録されているか否かを判断する（ステップＡ１５）。その結果、行き先呼びが登録されていた場合には（ステップＡ１５のＹｅｓ）、エレベータ制御装置１１は、先に認証した利用者が乗りかご１３内にいるものと判断し、乗りかご１３をその玄関階で戸開状態のまま所定の時間待機させておく（ステップＡ１７）。
【００３６】
また、このときに乗りかご１３内の利用者が戸閉釦を押すなどして強制的に戸閉して出発してしまわないように、少なくとも乗りかご１３が当該玄関階で待機している間、乗りかご１３内の待機案内表示灯３４を点灯すると共に、さらにかごブザー３５を鳴動、あるいは、音声装置３６によりスピーカ３７から音声を出力するなどして、乗りかご１３内の利用者に後から来る利用者がいることを通知し、戸開状態で待ってもらうことを促す（ステップＡ１８）。
【００３７】
また、上記ステップＡ１５で行き先呼びが登録されていない場合は乗りかご１３内が無人であるものと判断し、乗りかご１３内の待機案内表示灯３４は消灯しておく（ステップＡ１６）。
【００３８】
図３に乗りかご１３内の待機案内表示灯３４の一例を示す。この待機案内表示灯３４の点灯により、例えば「他の利用者が来ます。少しお待ち下さい。」といったメッセージが表示される。なお、音声装置３６により音声通知を行う場合にも同様の内容のメッセージがスピーカ３７を通じて出力される。
【００３９】
このように、マンション等の玄関１４で利用者を認証することにより、少なくとも、その玄関階の乗り場呼びを含む呼び情報を自動登録するシステムにおいて、乗りかご１３内に先に認証した利用者が乗車していた場合に、乗りかご１３を所定の時間待機させると共に、乗りかご１３内の利用者に他の利用者が後から来る旨を通知する。これにより、乗りかご１３が先に認証した利用者を乗せて行ってしまう不具合を解消し、後から来る利用者も乗りかご１３に乗せて運転サービスを行うことが可能となる。
【００４０】
（ｂ）乗り場で待つ利用者に対する通知
次に、最初に認証した利用者の後に次の利用者がすぐに来た場合を想定する。
【００４１】
図５に示すように、利用者が玄関１４で鍵４３を用いて認証を行っているとき、既に先に認証した利用者によって玄関階の乗り場呼びが登録されている場合には、その乗り場呼びによって乗りかご１３が玄関階に応答する。
【００４２】
このような場合、乗り場１５で待っている利用者は、玄関１４にいる利用者のことは分からないので、乗りかご１３が到着すると、直ぐに行ってしまう可能性がある。上述したように、乗りかご１３が出発してしまうと、後から来た利用者が登録した呼び情報はキャンセルされてしまうため、乗り場１５に設置された鍵認証装置５５で再度認証手続きを行って呼び登録しなければならない。
【００４３】
そこで、利用者が玄関１４で鍵４３を認証した際に、呼び情報として既に乗り場呼びが登録されている場合には玄関階の乗り場１５に利用者がいるものとみなし、その乗り場１５に設置された待機案内表示灯５３を点灯して、図６に示すように乗り場待ちの利用者に後から来る利用者がいることを通知する。
【００４４】
図７は本システムの他の動作を示すフローチャートであり、乗り場で待つ利用者に対して通知を行う場合の処理動作を示すフローチャートである。
【００４５】
外から来た利用者がマンション等の玄関１４に設置された鍵認証装置４２に鍵４３を近づけると、認証信号が信号ライン２５を介してエレベータ制御装置１１の信号入出力部２２に入力される。その入力の有無を運転制御部２１で判断する（ステップＢ１１）。
【００４６】
ここで、認証信号の入力がある場合（ステップＢ１１のＹｅｓ）、エレベータ制御装置１１（運転制御部２１）は、呼び情報として乗り場呼びが呼び登録テーブル２１ａに登録されているか否かを判断する（ステップＢ１２）。その結果、乗り場呼びが登録されていない場合には（ステップＢ１２のＮｏ）、エレベータ制御装置１１は、当該利用者による乗り場呼びを呼び登録テーブル２１ａに登録して乗りかご１３を玄関階に応答させる（ステップＢ１３）。また、そのときに、玄関階の乗り場１５に設置された待機案内表示灯５３は消灯しておく（ステップＢ１４）。
【００４７】
一方、乗り場呼びが呼び登録テーブル２１ａに登録されていた場合（ステップＢ１２のＹｅｓ）、エレベータ制御装置１１は、玄関階で乗り場待ちしている利用者がいるものと判断し、少なくとも乗りかご１３が当該玄関階に到着するまでの間、乗り場１５に設置された待機案内表示灯５３を点灯し、先に乗り場に到着した利用者に後から来る利用者を待ってもらうことを促す（ステップＢ１５）。
【００４８】
図６に乗り場１５の待機案内表示灯５３の一例を示す。この待機案内表示灯５３の点灯により、例えば「他の利用者が来ます。少しお待ち下さい。」といったメッセージが表示される。
【００４９】
このように、マンション等の玄関１４で利用者を認証することにより、少なくとも、その玄関階の乗り場呼びを含む呼び情報を自動登録するシステムにおいて、先に認証した利用者が乗り場待ちをしていた場合に、その乗り場待ちをしている利用者に他の利用者が後から来る旨を通知する。これにより、乗りかご１３が着床した際に先に認証した利用者を乗せて行ってしまう不具合を解消し、後から来る利用者も乗りかご１３に乗せて運転サービスを行うことが可能となる。
【００５０】
（ｃ）後から認証した利用者に対する通知
次に、後から認証した利用者が玄関階の乗り場１５に到着したときに既に乗りかご１３が行ってしまった場合を想定する。
【００５１】
利用者が玄関１４での鍵４３の認証を経て乗り場１５に到着したとき、既に乗りかご１３が行ってしまった場合には、そのときに登録した呼び情報（少なくとも乗り場呼びを含む）はキャンセルされている。しかし、利用者は呼び情報がキャンセルされたことは知らず、乗りかご１３が来るものと思い、そこで何もせずに待ってしまうことがある。
【００５２】
そこで、玄関階から乗りかご１３が出発してしまい、呼び情報がキャンセルされているような場合に、玄関階の乗り場１５に設置された再認証案内表示灯５４を点灯することで、当該利用者に再度認証を行うように促す。
【００５３】
図８は本システムの他の動作を示すフローチャートであり、後から認証した利用者に対して通知を行う場合の処理動作を示すフローチャートである。
【００５４】
外から来た利用者がマンション等の玄関１４に設置された鍵認証装置４２に鍵４３を近づけると、認証信号が信号ライン２５を介してエレベータ制御装置１１の信号入出力部２２に入力される。その入力の有無を運転制御部２１で判断する（ステップＣ１１）。
【００５５】
ここで、認証信号の入力がある場合（ステップＣ１１のＹｅｓ）、エレベータ制御装置１１（運転制御部２１）は、呼び情報として乗り場呼びが呼び登録テーブル２１ａに登録されているか否かを判断する（ステップＣ１２）。その結果、乗り場呼びが登録されている場合には（ステップＣ１２のＹｅｓ）、これから乗りかご１３が玄関階に来ることであるため、特になにもせず、再認証案内表示灯５４は消灯しておく（ステップＣ１３）。
【００５６】
一方、乗り場呼びが登録されていない場合において、通常であれば、認証信号の入力に伴い玄関階の乗り場呼びが自動登録され、利用者が乗り場１５に到着したときに乗りかご１３が待機している。ところが、先に乗り場１５にいた利用者が乗りかご１３に乗って行ってしまうケースがある。
【００５７】
そこで、呼び情報として玄関階の乗り場呼びが登録されていない場合には（ステップＣ１２のＮｏ）、エレベータ制御装置１１は、乗りかご１３が玄関階から出発した後であるか否かを判断する（ステップＣ１４）。その結果、乗りかご１３が玄関階から出発していない場合、つまり、乗り場呼びが未登録の状態であった場合には（ステップＣ１４のＮｏ）、エレベータ制御装置１１は、当該利用者による乗り場呼びを呼び登録テーブル２１ａに登録して乗りかご１３を玄関階に応答させる（ステップＣ１５）。また、そのときに、玄関階の乗り場１５に設置された再認証案内表示灯５４は消灯しておく（ステップＣ１６）。
【００５８】
一方、乗りかご１３が玄関階から出発した後であった場合、つまり、先に乗り場１５で待っていた利用者が乗りかご１３に乗車して出発した直後であった場合には（ステップＣ１４のＹｅｓ）、乗り場１５に来た利用者がそのまま待ってしまうことを防ぐため、エレベータ制御装置１１は玄関階の乗り場１５に設置された再認証案内表示灯５４を点灯して、その利用者に再認証の手続きを促す（ステップＣ１７）
図９に乗り場１５の再認証案内表示灯５４の一例を示す。この再認証案内表示灯５４の点灯により、「もう一度鍵の認証を実施して下さい。」といったメッセージが表示される。このメッセージにより、乗り場１５に来た利用者は直前で乗りかご１３が出発してしまったことを知り、鍵４３を用いて再度認証を行って呼び情報を再登録することができる。なお、このときの鍵４３の認証は、玄関１４まで戻る必要はなく、乗り場１５に設置された鍵認証装置５５にて行うことができる。
【００５９】
このように、マンション等の玄関１４で利用者を認証することにより、少なくとも、その玄関階の乗り場呼びを含む呼び情報を自動登録するシステムにおいて、先に認証した利用者によって乗りかご１３が出発した後であれば、その乗り場１５に来た利用者に再認証を行う旨を通知する。これにより、乗り場呼びがキャンセルされた状態で乗り場待ちしてしまう不具合を解消し、改めて登録された乗り場呼びにより乗りかご１３を速やかに玄関階に応答させることで、利用者の乗り場待ちを最小限に抑えることが可能となる。
【００６０】
（ｄ）複数の利用者を認証する場合での待機処理（その１）
次に、複数の利用者を認証する場合を想定する。
【００６１】
複数の利用者が玄関１４での認証を経て乗り場１５に来る場合には、乗りかご１３をその玄関階でいつまで待機させておくのかが問題となる。そこで、玄関１４で利用者の認証した回数をカウントすることにより、その認証回数から乗車人数を予測し、定格荷重を超える乗車人数に達した場合に待機終了として乗りかご１３の走行を開始する。
【００６２】
図１０は本システムの他の動作を示すフローチャートであり、利用者の認証回数に基づいて、待機中の乗りかごの運転を制御する場合の処理動作を示すフローチャートである。
【００６３】
外から来た利用者がマンション等の玄関１４に設置された鍵認証装置４２に鍵４３を近づけると、認証信号が信号ライン２５を介してエレベータ制御装置１１の信号入出力部２２に入力され、乗りかご１３が玄関階に応答して待機する（ステップＤ１１）。
【００６４】
ここで、そのときの認証信号の入力を運転制御部２１の認証回数カウント部２１ｂでカウントし、利用者を認証した回数とする（ステップＤ１２）。そして、１回の認証で１人が乗車すると考え、その回数に例えば６５ｋｇをかけて乗車する荷重を予測する（ステップＤ１３）。
【００６５】
エレベータ制御装置１１は、その予測荷重と予め決められた乗りかご１３の定格荷重とを比較し（ステップＤ１４）、定格荷重に達するまでは、認証した利用者の呼び情報の登録を許可する。なお、上記呼び情報は、基本的には乗り場呼びであるが、認証時に行き先階の自動登録も可能なシステムであれば、行き先呼び（かご呼び）も含む。
【００６６】
定格荷重を超える場合（ステップＤ１４のＹｅｓ）、それ以降に認証された利用者は荷重的に乗りかご１３には乗車できないことになるので、エレベータ制御装置１１はそれ以後の利用者の呼び情報をすぐに登録せず、運転制御部２１内に備えられた図示せぬバッファに一時的に記憶しておく（ステップＤ１５）。この時、乗りかご１３内の待機案内表示灯３４を消灯する（ステップＤ１６）。
【００６７】
また、先に認証した利用者をそれ以上待たせないように、定格荷重を超えた時点で待機終了と判断し、エレベータ制御装置１１は、乗りかご１３を戸閉して乗り場階からの走行を開始する（ステップＤ１７）。つまり、それ以降に認証されて乗り場１５に来る利用者を待たずに出発する。
【００６８】
そして、乗り場１５の出発後、エレベータ制御装置１１は、上記バッファに保持していた利用者の呼び情報を呼び登録テーブル２１ａに再登録する（ステップＤ１８）。また、それまでの認証回数をクリアすると共にバッファ内の記憶内容も消去する（ステップＤ１９）。ただし、走行開始条件だけで消去を行うと電源投入後の初回動作で誤認識してしまうため、イニシャル処理で消去しておく。
【００６９】
このように、他の利用者のために乗りかご１３を玄関階で待機させておく場合に、その待機の制限を設けておくことで、先に乗りかご１３内で待っている利用者に迷惑にならない程度に後から来る利用者にも対応することができる。この場合、多数の利用者がいて制限オーバとなり、乗りかご１３が出発してしまったとしても、乗れなかった利用者の呼び情報が自動登録されるので、再度認証を行って呼び登録するといった手間を省くことができる。
【００７０】
（ｅ）複数の利用者を認証する場合での待機処理（その２）
上記（ｄ）では、利用者を認証した回数によって待機終了を判断するようにしたが、例えば玄関１４で認証を行う利用者の人数は少なくても、その利用者がなかなか乗り場１５に来ないで待たせてしまうケースもある。そこで、最初に利用者を認証してからの経過時間をカウントし、一定時間を超えた場合に待機終了として乗りかご１３の走行を開始する。
【００７１】
図１１は本システムの他の動作を示すフローチャートであり、利用者を最初に認証してからの経過時間に基づいて、待機中の乗りかごの運転を制御する場合の処理動作を示すフローチャートである。
【００７２】
外から来た利用者がマンション等の玄関１４に設置された鍵認証装置４２に鍵４３を近づけると、認証信号が信号ライン２５を介してエレベータ制御装置１１の信号入出力部２２に入力され、乗りかご１３が玄関階に応答して待機する（ステップＥ１１）。
【００７３】
ここで、その認証信号の入力を運転制御部２１で受け、初回の認証であるか否かを判断する（ステップＥ１２）。初回の認証であった場合には（ステップＥ１２のＹｅｓ）、運転制御部２１の認証経過時間カウント部２１ｃにより、その初回の認証からの経過時間を計時するべく図示せぬタイマーを起動する（ステップＥ１３）。
【００７４】
そして、エレベータ制御装置１１は、タイマー値が予め設定された時間を超えたか否かを判断し（ステップＥ１４）、その設定時間を超えるまでは、認証した利用者の呼び情報の登録を許可する。なお、上記呼び情報は、基本的には乗り場呼びであるが、認証時に行き先階の自動登録も可能なシステムであれば、行き先呼び（かご呼び）も含む。
【００７５】
設定時間を超える場合（ステップＥ１４のＹｅｓ）、エレベータ制御装置１１はそれ以後の利用者の呼び情報をすぐに登録せず、運転制御部２１内に備えられた図示せぬバッファに一時的に記憶しておく（ステップＥ１５）。この時、乗りかご１３内の待機案内表示灯３４を消灯する（ステップＥ１６）。
【００７６】
また、先に認証した利用者をそれ以上待たせないように、設定時間を超えた時点で待機終了と判断し、エレベータ制御装置１１は、乗りかご１３を戸閉して乗り場階からの走行を開始する（ステップＥ１７）。つまり、それ以降に認証されて乗り場１５に来る利用者を待たずに出発する。
【００７７】
そして、乗り場１５の出発後、エレベータ制御装置１１は、上記バッファに保持していた利用者の呼び情報を呼び登録テーブル２１ａに再登録する（ステップＥ１８）。また、タイマーをクリアすると共にバッファ内の記憶内容も消去する（ステップＥ１９）。ただし、走行開始条件だけで消去を行うと電源投入後の初回動作で誤認識してしまうため、イニシャル処理で消去しておく。
【００７８】
このように、他の利用者のために乗りかご１３を玄関階で待機させておく場合に、初回の認証からの経過時間に基づいて待機の制限を定めることでも、上記同様に、先に乗りかご１３内で待っている利用者に迷惑にならない程度に後から来る利用者にも対応することができる。この場合、経過時間がオーバとなり、乗りかご１３が出発してしまったとしても、乗れなかった利用者の呼び情報が自動登録されるので、再度認証を行って呼び登録するといった手間を省くことができる。
【００７９】
以上のように、本システムによれば、利用者が玄関で認証してから乗り場に到着した際に既にエレベータの乗りかごが行ってしまっていたり、満員で乗車できないなどの不具合を解消することができる。この場合、先に認証した利用者は若干待つことになるが、その待ちに対して制限時間を設けているので、必要以上に待たされることはない。また、急いでいる場合には先に行ってしまうケースも考えられるが、その場合に後から認証した利用者に対して再度認証してもらうことを促す表示を設けることにより改善している。これらにより、利用者に不快感を与えることなく、効率の良い運転サービスを実現することが可能となる。
【００８０】
なお、上記（ｄ）の処理では、乗車人数を鍵の認証回数から予測したが、例えばセンサー等により実際の利用人数をカウントすることもできる。これにより、予測精度を高めて、認証した利用者が乗車できないケースを更に軽減することができる。
【００８１】
また、上記（ａ）〜（ｅ）の各処理を組み合わせることにより、更に利便性を向上させることができる。
【００８２】
さらに、上記実施形態では、１台のエレベータで実施したものであるが、複数台のエレベータシステムでは、記憶した鍵の認証内容を他の号機に振り分けることもできる。これにより、更に効率の良い運転サービスが可能である。
【００８３】
また、上記実施形態では、玄関階で利用者の認証を行い、その玄関階にエレベータの乗りかごを応答させる場合を想定して説明したが、玄関階に限らず、ある特定の階床で同様のことを行うようにしても良い。
【００８４】
また、利用者の認証方法についても、鍵を用いる方法の他に、例えば指紋認証、顔認証、虹彩認証、静脈認証、筆跡認証、音声認証、掌形認証などの形で実施することが可能である。
【００８５】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００８６】
【図１】図１は本発明の一実施形態に係るエレベータシステムの構成を示す図である。
【図２】図２は同実施形態のエレベータシステムにおいて、玄関で認証する利用者と先に認証して乗りかご内に乗車している利用者との関係を説明するための図である。
【図３】図３は同実施形態のエレベータシステムにおいて、乗りかご内に設けられた待機案内表示灯の一例を示す図である。
【図４】図４は同実施形態のエレベータシステムの動作を示すフローチャートであり、乗りかご内の利用者に対して通知を行う場合の処理動作を示すフローチャートである。
【図５】図５は同実施形態のエレベータシステムにおいて、玄関で認証する利用者と先に認証して玄関階の乗り場で待つ利用者との関係を説明するための図である。
【図６】図６は同実施形態のエレベータシステムにおいて、乗り場に設けられた待機案内表示灯の一例を示す図である。
【図７】図７は同実施形態のエレベータシステムの他の動作を示すフローチャートであり、乗り場で待つ利用者に対して通知を行う場合の処理動作を示すフローチャートである。
【図８】図８は同実施形態のエレベータシステムの他の動作を示すフローチャートであり、後から認証した利用者に対して通知を行う場合の処理動作を示すフローチャートである。
【図９】図９は同実施形態のエレベータシステムにおいて、乗り場に設けられた再認証案内表示灯の一例を示す図である。
【図１０】図１０は同実施形態のエレベータシステムの他の動作を示すフローチャートであり、利用者の認証回数に基づいて、待機中の乗りかごの運転を制御する場合の処理動作を示すフローチャートである。
【図１１】図１１は本システムの他の動作を示すフローチャートであり、利用者を最初に認証してからの経過時間に基づいて、待機中の乗りかごの運転を制御する場合の処理動作を示すフローチャートである。
【符号の説明】
【００８７】
１１…エレベータ制御装置、１２…巻上機、１３…乗りかご、１４…玄関、１５…乗り場、２１…運転制御部、２１ａ…呼び登録テーブル、２１ｂ…認証回数カウント部、２１ｃ…認証経過時間カウント部、２２…信号入出力部、２３…かご伝送ライン、２４…乗り場伝送ライン、２５…信号ライン、２６…モータ、２７…パルスジェネレータ、２８…メインロープ、２９…カウンタウェイト、３１…戸閉確認スイッチ、３２…行き先呼び登録釦、３３…信号入出力部、３４…待機案内表示灯、３５…かごブザー、３６…音声装置、３７…スピーカ、４１…玄関インターホン制御盤、４２…鍵認証装置、４３…鍵、５１…乗り場呼び登録釦、５２…信号入出力部、５３…待機案内表示灯、５４…再認証案内表示灯、５５…鍵認証装置。
【図１】
2006256851.tif 000003
【図２】
2006256851.tif 000004
【図３】
2006256851.tif 000005
【図４】
2006256851.tif 000006
【図５】
2006256851.tif 000007
【図６】
2006256851.tif 000008
【図７】
2006256851.tif 000009
【図８】
2006256851.tif 000010
【図９】
2006256851.tif 000011
【図１０】
2006256851.tif 000012
【図１１】
2006256851.tif 000013